(57)【要約】【課題】可撓性のホースと共に引き出された際の、吐水ヘッドの移動の自由度を大きくすることができるプルアウト式の吐水装置を提供する。【解決手段】本発明は、洗面ボウル（２）の後壁面（Ｗ）に設置されるプルアウト式の吐水装置（１０）であって、給水路（８ｃ）に接続された可撓性ホース（１４）と、洗面ボウルの後壁面に設けられ、可撓性ホースを挿通させるように、可撓性ホースよりも幅広で水平方向に長い長穴形状に形成されたホース挿通開口（１６ａ）を備えたホース挿通部（１６）と、可撓性ホースと共に前方に引き出されるように可撓性ホースに接続され、ホース挿通開口を覆うように配置された幅広の吐水ヘッド（１２）と、を有することを特徴としている。【選択図】図１
2009079362.tif 000002
【特許請求の範囲】
【請求項１】
洗面ボウルの後壁面に設置されるプルアウト式の吐水装置であって、
給水路に接続された可撓性ホースと、
上記洗面ボウルの後壁面に設けられ、上記可撓性ホースを挿通させるように、上記可撓性ホースよりも幅広で水平方向に長い長穴形状に形成されたホース挿通開口を備えたホース挿通部と、
上記可撓性ホースと共に前方に引き出されるように上記可撓性ホースに接続され、上記ホース挿通開口を覆うように配置された幅広の吐水ヘッドと、
を有することを特徴とする吐水装置。
【請求項２】
上記吐水ヘッドには、前方に引き出されたとき使用者によって把持される把持部が形成されている請求項１記載の吐水装置。
【請求項３】
上記洗面ボウルの後壁面には前方に突出するカバー部が設けられ、上記吐水ヘッドは、上記カバー部の下方に配置され、上記把持部は、上方に向けて開口された、上記カバー部により覆われる凹部を備えている請求項２記載の吐水装置。
【請求項４】
さらに、上記吐水ヘッドが上記洗面ボウルの後壁面に向けて押し込まれることによりラッチが外れ、上記吐水ヘッドを上記カバー部から前方に突出させるラッチ機構を有する請求項３記載の吐水装置。
【請求項５】
上記吐水ヘッドには、幅広に分布するように配置された多数の吐水口が形成されている請求項１乃至４の何れか１項に記載の吐水装置。
【発明の詳細な説明】
【技術分野】
【０００１】
本発明は吐水装置に関し、特に、洗面ボウルの後壁面に設置されるプルアウト式の吐水装置に関する。
【背景技術】
【０００２】
洗面ボウルの後部に設置され、洗面ボウルのカウンター面から可撓性のホースを引き出してシャワー吐水等を行うことができるプルアウト式の吐水装置が広く普及している。このような吐水装置を備えた洗面化粧台は、洗面ボウルで容易に洗髪等をすることができ、非常に使い勝手の良いものとなっている。
【０００３】
一方、実開平１１−１６９３０９号公報（特許文献１）に記載されている吐水装置は、洗面ボウルの後部壁面から突出するように設けられた棚に組み込まれており、そこから可撓性のホースと共に吐水ヘッドを引き出すことができるように構成されている。このような、洗面ボウルの後壁面に設けられた吐水装置は、洗面ボウルの後端と後壁面との間に水栓装置を設置するためのスペースを必要としないため、洗面台の奥行きを小さく抑えながら、洗面ボウルを大きくすることができる点が有利である。また、このようなタイプの吐水装置は、洗面ボウルのカウンター面に設置される吐水装置よりも上方から可撓性のホースが引き出されるので、吐水装置を洗髪等に使用する際、ホースの引き出し量が比較的少なくなるという利点もある。
【０００４】
【特許文献１】特実開平１１−１６９３０９号公報
【発明の開示】
【発明が解決しようとする課題】
【０００５】
しかしながら、上述した従来の吐水装置では、可撓性のホースを引き出すホース挿通開口がホースの外径とほぼ同一に形成されているため、ホースがホース挿通開口から突出する方向は、後壁面に直交する方向に固定されてしまう。このため、吐水ヘッドの移動が接続されたホースによって制約され、吐水ヘッドを好みの位置に移動させにくいという問題がある。この問題は、ホースの引き出し量が比較的少なくなる、洗面ボウルの後壁面に設置されるタイプの吐水装置において、特に顕著になる。
【０００６】
従って、本発明は、可撓性のホースと共に引き出された際の、吐水ヘッドの移動の自由度を大きくすることができるプルアウト式の吐水装置を提供することを目的としている。
【課題を解決するための手段】
【０００７】
上述した課題を解決するために、本発明は、洗面ボウルの後壁面に設置されるプルアウト式の吐水装置であって、給水路に接続された可撓性ホースと、洗面ボウルの後壁面に設けられ、可撓性ホースを挿通させるように、可撓性ホースよりも幅広で水平方向に長い長穴形状に形成されたホース挿通開口を備えたホース挿通部と、可撓性ホースと共に前方に引き出されるように可撓性ホースに接続され、ホース挿通開口を覆うように配置された幅広の吐水ヘッドと、を有することを特徴としている。
【０００８】
このように構成された本発明においては、給水路に接続された可撓性ホースは、洗面ボウルの後壁面に設けられたホース挿通部を通って後壁面の前面側に延び、吐水ヘッドに接続されている。ホース挿通開口は可撓性ホースよりも幅広で水平方向に長い長穴形状に形成されているため、可撓性ホースは、後壁面に対して水平方向に任意の角度をもって後壁面から突出される。また、吐水ヘッドは幅広に形成され、ホース挿通開口を覆うように配置される。
【０００９】
このように構成された本発明によれば、ホース挿通開口が可撓性ホースよりも幅広で水平方向に長い長穴形状に形成され、可撓性ホースが後壁面に対して水平方向に任意の角度に向けられるので、可撓性ホースと共に引き出された吐水ヘッドの移動の自由度を大きくすることができる。また、吐水ヘッドがホース挿通開口を覆うので、ホース挿通開口を幅広に形成しても吐水装置の外観が損なわれることがない。
【００１０】
本発明において、好ましくは、吐水ヘッドには、前方に引き出されたとき使用者によって把持される把持部が形成されている。
このように構成された本発明によれば、吐水ヘッドに把持部が形成されているので、使用者は、幅広に形成された吐水ヘッドを容易に把持することができる。
【００１１】
本発明において、好ましくは、洗面ボウルの後壁面には前方に突出するカバー部が設けられ、吐水ヘッドは、カバー部の下方に配置され、把持部は、上方に向けて開口された、カバー部により覆われる凹部を備えている。
【００１２】
このように構成された本発明によれば、凹部がカバー部部によって覆われているので、上方に向けて開口されていても、凹部にゴミ等が溜まるのを防止することができる。
【００１３】
本発明において、好ましくは、さらに、吐水ヘッドが洗面ボウルの後壁面に向けて押し込まれることによりラッチが外れ、吐水ヘッドをカバー部から前方に突出させるラッチ機構を有する。
【００１４】
このように構成された本発明によれば、ラッチ機構を有するので、把持部を構成する凹部がカバー部によって覆われていても、使用時には、使用者は把持部を容易に掴むことができる。
【００１５】
本発明において、好ましくは、吐水ヘッドには、幅広に分布するように配置された多数の吐水口が形成されている。
このように構成された本発明によれば、幅広の滝状のシャワー吐水が形成されるので、吐水装置の使い勝手を良くすることができる。
【発明の効果】
【００１６】
本発明の吐水装置によれば、可撓性のホースと共に引き出された際の、吐水ヘッドの移動の自由度を大きくすることができ、洗髪行為や洗面ボウルの隅々の掃除がし易くなる。
【発明を実施するための最良の形態】
【００１７】
次に、添付図面を参照して、本発明の好ましい実施形態を説明する。
まず、図１乃至図５を参照して、本発明の第１実施形態による吐水装置を説明する。図１は、本発明の第１実施形態による吐水装置が組み込まれた洗面台のカウンター全体を示す斜視図である。図２は、本実施形態による吐水装置の吐水ヘッドを可撓性のホースと共に引き出した状態を示す斜視図である。図３は、本実施形態による吐水装置が組み込まれた洗面台のカウンターを背面側から見た斜視図である。図４は本実施形態による吐水装置の断面図であり、図５はラッチ機構により吐水ヘッドが突出された状態を示す断面図である。
【００１８】
図１に示すように、洗面台１は、洗面ボウル２と、この洗面ボウル２の上方に、洗面ボウル２の後壁面Ｗから突出するように設けられたカバー部である棚部４と、この棚部４の下面に取り付けられた水栓装置６と、を有する。また、水栓装置６は、シングルレバー水栓８と、水栓装置６のほぼ中央に設けられた本発明の第１実施形態による吐水装置１０と、を有する。
【００１９】
水栓装置６は、給水管８ａ及び給湯管８ｂから供給された水及び湯を、シングルレバー水栓８により混合し、このシングルレバー水栓８のレバーを操作することにより、吐水装置１０から吐出される湯水の流量及び温度を調整することができるように構成されている。また、吐水装置１０は、吐水ヘッドが棚部４に装着されている状態においては、吐水ヘッドから前方斜め下方に向けて、洗面ボウル２内に吐水を行うように構成されている。なお、本明細書においては、吐水装置１０に対し、後壁面Ｗの側を後方、その反対側を前方と呼んでいる。
【００２０】
図２及び図３に示すように、本発明の第１実施形態による吐水装置１０は、吐水ヘッド１２と、この吐水ヘッド１２に接続された可撓性ホース１４と、この可撓性ホース１４を挿通させるホース挿通開口１６ａを備えたホース挿通部１６と、を有する。また、吐水装置１０は、吐水ヘッド１２を後壁面Ｗに支持するヘッド支持部１８と、使用者により操作されると、吐水ヘッド１２を棚部４から前方に突出させるラッチ機構２０と、を有する。さらに、吐水装置１０は、後壁面Ｗの背面に配置された水受け２２（図３）を有する。
【００２１】
吐水ヘッド１２は、幅広の概ね直方体状の形状を有し、棚部４の下方に配置されている。また、シャワーヘッドとして使用する際には、可撓性ホース１４と共に後壁面Ｗから引き出すことができるように支持されている。吐水ヘッド１２の正面には、斜め下方に向けられた吐水面が形成されており、この吐水面には、幅広に分布するように配置された多数の吐水口１２ａが形成されている。この吐水口１２ａから前方斜め下方に向けて幅広の滝状のシャワー吐水がなされる。
【００２２】
また、図４に示すように、吐水ヘッド１２の上面には、左右方向に水平に延びる凹部１２ｂが設けられており、この凹部１２ｂの前方の部分が、吐水ヘッド１２が前方に引き出されたとき使用者によって把持される把持部１２ｃとして機能する。さらに、吐水ヘッド１２の後方の面には、ヘッド支持部１８を受け入れるヘッド支持部受入凹部１２ｄが設けられている。このヘッド支持部受入凹部１２ｄが、後壁面Ｗから前方に向けて突出したヘッド支持部１８を受け入れることにより、吐水ヘッド１２は引き出し可能に支持される。
【００２３】
可撓性ホース１４は、外側が金属で被覆された可撓性のホースであり、その先端が、吐水ヘッド１２の後面に接続されている。一方、可撓性ホース１４の基端は、シングルレバー水栓８から延びる給水路８ｃ（図３）に接続されている。可撓性ホース１４は、給水路８ｃから一旦下方に垂れ下がった後、上方に向かい、ホース挿通部１６を通って後壁面Ｗの前面側に延び、吐水ヘッド１２に接続されている。吐水ヘッド１２が前方に引き出された際には、可撓性ホース１４の垂れ下がり部分が後壁面Ｗの前面側に繰り出され、吐水ヘッド１２をハンドシャワーとして利用するのを可能にしている。
【００２４】
ホース挿通部１６は、後壁面Ｗに形成されたホース挿通開口１６ａを備えており、上述したように、可撓性ホース１４は、ホース挿通開口１６ａを通って後壁面Ｗの背面側から前面側に延びている。また、ホース挿通開口１６ａは、水平方向に延びる長穴であり、その幅は、可撓性ホース１４の直径よりも幅広に形成されている（図３）。このため、可撓性ホース１４は、ホース挿通開口１６ａ内で左右方向に自由に移動することができる。
【００２５】
また、ホース挿通開口１６ａは、可撓性ホースよりも幅広で水平方向に長い長穴形状に形成されているが、吐水ヘッド１２が棚部４の下部に支持されている状態では、幅広に形成された吐水ヘッド１２により覆われ、外部には露出されないように構成されている。なお、本実施形態においては、ホース挿通開口１６ａの幅は、可撓性ホース１４の直径の約３倍に形成されている。好ましくは、ホース挿通開口１６ａの幅を可撓性ホース１４の直径の約２倍乃至約６倍にする。
【００２６】
ヘッド支持部１８は、後壁面Ｗから前方に向けて延びる円筒状の部材であり、ヘッド支持部受入凹部１２ｄにガタなく受け入れられることにより、吐水ヘッド１２を取り外し可能に支持している。また、ヘッド支持部１８は、隣接して設けられたラッチ機構２０により、後方に引っ込んだ収納位置（図４）と、前方に移動された突出位置（図５）の間で移動可能に構成されている。
【００２７】
ラッチ機構２０は、ヘッド支持部１８に隣接して設けられており、吐水ヘッド１２と共にヘッド支持部１８を、収納位置と突出位置の間で移動させるように構成されている。ラッチ機構２０は、スプリングやカム等を組み合わせて構成される一般的な機構であり、様々な形式のものが知られているが、それらのうちの任意のものを採用することができる。図４に示すように、吐水ヘッド１２は、収納位置においては棚部４の下方に位置し、上方に向けて開口された凹部１２ｂは、棚部４により覆われている。
【００２８】
ラッチ機構２０は、図４に示す収納位置において、吐水ヘッド１２を後壁面に向けて押し込むことによりラッチ（図示せず）が外れ、スプリング（図示せず）の付勢力により吐水ヘッド１２を突出位置に押し出すように構成されている。また、図５に示す突出位置においては、吐水ヘッド１２は、その一部が棚部４から前方に突出し、凹部１２ｂが外部に露出される。これにより、使用者は、凹部１２ｂに手指を挿入し、把持部１２ｃを掴んで吐水ヘッド１２を引き出すことが可能になる。
【００２９】
水受け２２は、上方に向けて開放された薄い容器であり、後壁面Ｗ背面側のホース挿通部１６の下方に取り付けられている。この水受け２２は、シングルレバー水栓８の給水路８ｃから下方に垂れ下がる可撓性ホース１４を受け入れている。また、水受け２２の底部には排水パイプ２２ａが設けられており、水受け２２が受けた水を排水パイプ２２ａから排水するように構成されている。排水パイプ２２ａから排出された排水は、洗面ボウル２の排水管に連通されたＬ字型の排水路２ａに流下するように構成されている。
【００３０】
次に、本発明の第１実施形態による吐水装置１０の作用を説明する。
まず、吐水装置１０の使用者が、シングルレバー水栓８のレバーを後方に向かって操作すると、シングルレバー水栓８が開放され、給水管８ａ及び給湯管８ｂから供給された湯及び水が混合され、混合された湯水が給水路８ｃから流出される。給水路８ｃから流出した湯水は、可撓性ホース１４を通って吐水ヘッド１２に導かれる。吐水ヘッド１２に流入した湯水は、吐水口１２ａから吐出され、幅広に分布した滝状のシャワー吐水が形成される。シャワー吐水の流量は、シングルレバー水栓８のレバーを前後方向に回動操作することにより変化される。また、シングルレバー水栓８のレバーを左右方向に回動操作することにより吐出される湯水の温度が調節される。
【００３１】
次に、図４に示す収納位置において、使用者が吐水ヘッド１２の正面部を後方に押し込んだ後、押圧力を除去すると、ラッチ機構２０は、これに隣接して設けられたヘッド支持部１８を前方に突出させる。これにより、吐水ヘッド１２は図５に示す突出位置に移動され、吐水ヘッド１２上面の凹部１２ｂが棚部４の前方に突出し、露出される。使用者は、凹部１２ｂに手指を挿入し、把持部１２ｃを掴んで吐水ヘッド１２を引き出し、吐水ヘッド１２をハンドシャワーヘッドとして使用する。この際、ホース挿通開口１６ａが可撓性ホース１４よりも幅広に形成されているため、可撓性ホース１４が後壁面Ｗから突出する部分は、後壁面Ｗに対して水平方向に任意の角度に向けられることができ、使用者は吐水ヘッド１２を自由に移動させて使用することができる。
【００３２】
吐水ヘッド１２の使用後は、ヘッド支持部１８が吐水ヘッド１２背面のヘッド支持部受入凹部１２ｄに挿入されるように、吐水ヘッド１２をもとの位置に戻し、吐水ヘッド１２を押圧して、吐水ヘッド１２を収納位置に移動させる。これにより、ホース挿通開口１６ａは、吐水ヘッド１２によって覆われ、外部からは見えなくなる。また、吐水ヘッド１２を収納位置に戻すことにより、凹部１２ｂが棚部４の下方に隠れるので、凹部１２ｂにゴミ等が溜まって汚れるのを防止することができる。さらに、吐水ヘッド１２の使用中に、仮に掃除などでホース挿通開口１６ａに水が掛けられても、後壁面Ｗの背面側に侵入した水は、水受け２２に流入し、排水パイプ２２ａ及び排水路２ａを通って排水管に排水される。
【００３３】
本発明の第１実施形態の吐水装置によれば、ホース挿通開口が可撓性ホースよりも幅広に形成され、可撓性ホースが後壁面に対して水平方向に任意の角度に向けられるので、可撓性ホースと共に引き出された吐水ヘッドの移動の自由度を大きくすることができる。また、吐水ヘッドがホース挿通開口を覆うので、ホース挿通開口を幅広に形成しても吐水装置の外観が損なわれることがない。
【００３４】
また、本実施形態の吐水装置によれば、吐水ヘッドに把持部が形成されているので、使用者は、幅広に形成された吐水ヘッドを容易に把持することができる。
さらに、本実施形態の吐水装置によれば、把持部を構成する凹部が棚部によって覆われているので、上方に向けて開口されていても、凹部にゴミ等が溜まるのを防止することができる。
【００３５】
また、本実施形態の吐水装置によれば、ラッチ機構により、把持部が棚部の前方に突出されるので、把持部を構成する凹部が棚部によって覆われていても、使用時には、使用者は把持部を容易に掴むことができる。
さらに、本実施形態の吐水装置によれば、幅広の滝状のシャワー吐水が形成されるので、吐水装置の使い勝手を良くすることができる。
【００３６】
次に、図６及び図７を参照して、本発明の第２実施形態による吐水装置を説明する。本実施形態の吐水装置は、把持部の形状と、吐水ヘッドの支持機構が上述した第１実施形態とは異なる。従って、ここでは、本発明の第２実施形態の、第１実施形態とは異なる点のみを説明し、同様の構成については説明を省略する。図６は本発明の第２実施形態による吐水装置の側面断面図であり、図７は、正面図である。
【００３７】
図６及び図７に示すように、本発明の第２実施形態による吐水装置１１０は、吐水ヘッド１１２と、可撓性ホース１１４と、ホース挿通開口１１６ａを備えたホース挿通部１１６と、を有する。また、吐水装置１１０は、吐水ヘッド１１２を棚部４の下面に支持するヘッド支持部１１８を有する。
【００３８】
吐水ヘッド１１２は、幅広の概ね直方体状の形状を有し、棚部４の下方に配置されている。吐水ヘッド１１２の正面には、斜め下方に向けられた吐水面が形成されており、この吐水面には、幅広に分布するように配置された多数の吐水口１１２ａが形成されている。
【００３９】
また、吐水ヘッド１１２の吐水口１１２ａの前方には、左右方向に水平に延び、下方に向けて開放された凹部１１２ｂが設けられており、この凹部１１２ｂの前方の部分が、吐水ヘッド１１２を前方に引き出すとき使用者によって把持される把持部１１２ｃとして機能する。さらに、吐水ヘッド１１２の側面上部には、ヘッド支持部１１８に受け入れられる鍔部１１２ｄが夫々設けられている。この鍔部１１２ｄが、棚部４の下面に設けられたヘッド支持部１１８によって受け入れられることにより、吐水ヘッド１１２は引き出し可能に支持される。
【００４０】
ヘッド支持部１１８は、棚部４の下面に、前後方向に延びるように平行に取り付けられた２本のレール状の部材からなる。ヘッド支持部１１８は、吐水ヘッド１１２の両側面から突出した鍔部１１２ｄと係合して、吐水ヘッド１１２を棚部４の下面に前後方向にスライド可能に吊り下げるように構成されている。
【００４１】
使用時において、使用者は、吐水ヘッド１１２の前部に設けられた凹部１１２ｂに手指を挿入し、把持部１１２ｃを掴んで吐水ヘッド１１２を引き出し、吐水ヘッド１１２をハンドシャワーヘッドとして使用する。或いは、吐水ヘッド１１２を途中まで引き出して吐水位置を使用者側に近づけて使用することもできる。また、吐水ヘッド１１２を引き出す際にクリック感が与えられるように、板ばね等を使用したクリック機構を採用することにより、引き出し量を段階的に位置決めしやすくなり操作性が更に向上する。これにより、吐水位置を使用者の側に移動させることができるので、子供が手洗いに使用する場合等には、特に便利である。使用後は、鍔部１１２ｄがヘッド支持部１１８の間に受け入れられるように、吐水ヘッド１１２をもとの位置に戻す。これにより、吐水ヘッド１１２は棚部４の下方に収納され、ホース挿通開口１１６ａは、吐水ヘッド１１２によって覆われ、外部からは見えなくなる。
【００４２】
本発明の第２実施形態の吐水装置によれば、吐水ヘッドが２本のレール状の部材によりスライド可能に支持されるので、簡単な機構で吐水ヘッドを取り外し自在に支持することができる。
【００４３】
また、上述した実施形態においては、吐水ヘッドは棚部の下に収容されていたが、吐水ヘッドの上方をカバーするカバー部は、壁面から突出している部材であれば良く、収納キャビネットや、鏡等、任意の部材でカバー部を構成することができる。
【図面の簡単な説明】
【００４４】
【図１】本発明の第１実施形態による吐水装置が組み込まれた洗面台のカウンター全体を示す斜視図である。
【図２】本発明の第１実施形態による吐水装置の吐水ヘッドを可撓性のホースと共に引き出した状態を示す斜視図である。
【図３】本発明の第１実施形態による吐水装置が組み込まれた洗面台のカウンターを背面側から見た斜視図である。
【図４】本発明の第１実施形態による吐水装置の断面図である。
【図５】ラッチ機構により吐水ヘッドが突出された状態を示す断面図である。
【図６】本発明の第２実施形態による吐水装置の側面断面図である。
【図７】本発明の第２実施形態による吐水装置の正面図である。
【符号の説明】
【００４５】
Ｗ        後壁面
１        洗面台
２        洗面ボウル
２ａ      排水路
４        棚部（カバー部）
６        水栓装置
８        シングルレバー水栓
８ａ      給水管
８ｂ      給湯管
８ｃ      給水路
１０      本発明の第１実施形態による吐水装置
１２      吐水ヘッド
１２ａ    吐水口
１２ｂ    凹部
１２ｃ    把持部
１２ｄ    ヘッド支持部受入凹部
１４      可撓性ホース
１６      ホース挿通部
１６ａ    ホース挿通開口
１８      ヘッド支持部
２０      ラッチ機構
２２      水受け
２２ａ    排水パイプ
１１０    本発明の第２実施形態による吐水装置
１１２    吐水ヘッド
１１２ａ  吐水口
１１２ｂ  凹部
１１２ｃ  把持部
１１２ｄ  鍔部
１１４    可撓性ホース
１１６    ホース挿通部
１１６ａ  ホース挿通開口
１１８    ヘッド支持部
【図１】
2009079362.tif 000003
【図２】
2009079362.tif 000004
【図３】
2009079362.tif 000005
【図４】
2009079362.tif 000006
【図５】
2009079362.tif 000007
【図６】
2009079362.tif 000008
【図７】
2009079362.tif 000009